【手続補正書】
【提出日】平成30年4月24日(2018.4.24)
【手続補正１】
【補正対象書類名】特許請求の範囲
【補正対象項目名】全文
【補正方法】変更
【補正の内容】
【特許請求の範囲】
【請求項１】
（ｉ）ポリエチレン（ＰＥ）ホモポリマー、アルファポリオレフィン、ＰＥ含有コポリマー、及びその組み合わせからなる群から選ばれる第１重合性材料と、
（ｉｉ）ポリプロピレン（ＰＰ）ホモポリマー、ＰＰ含有コポリマー、及びその組み合わせからなる群から選ばれる少なくとも一つのポリプロピレン（ＰＰ）含有材料とを含む層を有する、配向フィルム。
【請求項２】
前記第１重合性材料は、線形低密度ポリエチレン（ＬＬＤＰＥ）、低密度ポリエチレン（ＬＤＰＥ）、極低密度ポリエチレン（ＶＬＤＰＥ）、高密度ポリエチレン（ＨＤＰＥ）、及びその組み合わせからなる群から選ばれるＰＥである、請求項１に記載の配向フィルム。
【請求項３】
前記第１重合性材料は、ポリマー鎖中に極性の官能性を有する少なくとも一つの官能化ポリエチレンを含むＰＥである、請求項１又は２に記載の配向フィルム。
【請求項４】
前記フィルムは、アルファポリオレフィンを含有する、請求項１乃至３のいずれかに記載の配向フィルム。
【請求項５】
前記ＰＰ含有材料は、ＰＰホモポリマーである、請求項１乃至４のいずれかに記載の配向フィルム。
【請求項６】
前記ＰＰ含有材料は、（ｉ）エチレン含量が低いＰＰとＰＥのコポリマー、（ｉｉ）エチレン含量が高いＰＰとＰＥのコポリマー、（ｉｉｉ）一つ以上の他のモノマーを持つＰＰのブロックコポリマー、（ｉｖ）一つ以上の官能化極性基を持つＰＰ、（ｖ）ＰＰのテルポリマー、及びその組み合わせからなる群から選ばれる、請求項１乃至５のいずれかに記載の配向フィルム。
【請求項７】
前記フィルムは、２：１〜９：１の範囲の延伸率で高温延伸によって配向される、請求項１乃至６のいずれかに記載の配向フィルム。
【請求項８】
前記フィルムは、縦方向に配向される、請求項１乃至７のいずれかに記載の配向フィルム。
【請求項９】
前記フィルムは、少なくとも一つのスキン層をさらに有する、請求項１乃至８のいずれかに記載の配向フィルム。
【請求項１０】
前記フィルムは、第１スキン層と第２スキン層との間に配置されるコア層を有する、請求項１乃至９のいずれかに記載の配向フィルム。
【請求項１１】
前記コア層の組成は、前記第１スキン層及び前記第２スキン層の少なくとも一つの組成と同一である、請求項１０に記載の配向フィルム。
【請求項１２】
前記コア層の組成は、前記第１スキン層の組成と異なる、請求項１０に記載の配向フィルム。
【請求項１３】
前記コア層の組成は、前記第２スキン層の組成と異なる、請求項１０に記載の配向フィルム。
【請求項１４】
前記第１重合性材料と前記ＰＰ含有材料を含む層のＰＥ含量は、２５％〜９５％である、請求項１乃至１３のいずれかに記載の配向フィルム。
【請求項１５】
前記ＰＥ含量は、３０％〜８０％である、請求項１４に記載の配向フィルム。
【請求項１６】
前記ＰＥ含量は、３５％〜７５％である、請求項１４に記載の配向フィルム。
【請求項１７】
前記第１重合性材料と前記ＰＰ含有材料を含む層は、ＥＶＡ及びＥＶＡ系成分の少なくとも一つをさらに含む、請求項１乃至１６のいずれかに記載の配向フィルム。
【請求項１８】
前記スキン層は、ポリプロピレン（ＰＰ）、エチレンビニルアセテート（ＥＶＡ）、線形低密度ポリエチレン（ＬＬＤＰＥ）、線形低密度ポリプロピレン（ＰＰ）、高密度ポリエチレン（ＨＤＰＥ）、高密度ポリプロピレン（ＨＤＰＰ）、スチレンジブロックコポリマー、イオノマー樹脂、線形低密度ポリエチレン（ＬＬＤＰＥ）、極低密度ポリエチレン（ＶＬＤＰＥ）、エチレンアクリル酸（ＥＡＡ）コポリマー、及びその組み合わせからなる群から選ばれる少なくとも一つの成分を含む、請求項９乃至１７のいずれかに記載の配向フィルム。
【請求項１９】
横方向に対する縦方向の剛性の比率は、０．８７：１〜１．９：１である、請求項１乃至１８のいずれかに記載の配向フィルム。
【請求項２０】
前記フィルムは、レーザーダイカット可能である、請求項１乃至１９のいずれかに記載の配向フィルム。
【請求項２１】
前記フィルムは火炎処理される、請求項１乃至２０のいずれかに記載の配向フィルム。
【請求項２２】
（ｉ）ポリエチレン（ＰＥ）ホモポリマー、アルファオレフィン、ＰＥ含有コポリマー、及びその組み合わせからなる群から選ばれる第１重合性材料、及び（ｉｉ）ポリプロピレン（ＰＰ）ホモポリマー、ＰＰ含有コポリマー、及びその組み合わせからなる群から選ばれるＰＰ含有材料とを含む層を有する配向フィルムと、
接着剤の層と、
を有するラベルアセンブリー。
【請求項２３】
前記接着剤は感圧接着剤である、請求項２２に記載のラベルアセンブリー。
【請求項２４】
前記第１重合性材料は、線形低密度ポリエチレン（ＬＬＤＰＥ）、低密度ポリエチレン（ＬＤＰＥ）、極低密度ポリエチレン（ＶＬＤＰＥ）、高密度ポリエチレン（ＨＤＰＥ）、及びその組み合わせからなる群から選ばれるＰＥである、請求項２２又は２３に記載のラベルアセンブリー。
【請求項２５】
前記第１重合性材料は、ポリマー鎖中に極性の官能性を有する少なくとも一つの官能化ポリエチレンを含む、請求項２２乃至２４のいずれかに記載のラベルアセンブリー。
【請求項２６】
前記ＰＰ含有材料は、ＰＰホモポリマーである、請求項２２乃至２５のいずれかに記載のラベルアセンブリー。
【請求項２７】
前記ＰＰ含有材料は、（ｉ）エチレン含量が低いＰＰとＰＥのコポリマー、（ｉｉ）エチレン含量が高いＰＰとＰＥのコポリマー、（ｉｉｉ）一つ以上の他のモノマーを持つＰＰのブロックコポリマー、（ｉｖ）一つ以上の官能化極性基を持つＰＰ、（ｖ）ＰＰのテルポリマー、及びその組み合わせからなる群から選ばれる、請求項２２乃至２６のいずれ
かに記載のラベルアセンブリー。
【請求項２８】
前記フィルムは、２：１〜９：１の範囲の延伸率で高温延伸によって配向される、請求項２２乃至２７のいずれかに記載のラベルアセンブリー。
【請求項２９】
前記フィルムは、縦方向に配向される、請求項２２乃至２８のいずれかに記載のラベルアセンブリー。
【請求項３０】
前記フィルムは、少なくとも一つのスキン層をさらに有する、請求項２２乃至２９のいずれかに記載のラベルアセンブリー。
【請求項３１】
前記フィルムは、第１スキン層と第２スキン層を有し、前記第１重合性材料とＰＰ含有材料を含む層は、前記第１スキン層と前記第２スキン層との間に配置されるコア層である、請求項３０に記載のラベルアセンブリー。
【請求項３２】
前記コア層の組成は、前記第１スキン層及び前記第２スキン層の少なくとも一つの組成と同一である、請求項３１に記載のラベルアセンブリー。
【請求項３３】
前記コア層の組成は、前記第１スキン層の組成と異なる、請求項３１に記載のラベルアセンブリー。
【請求項３４】
前記コア層の組成は、前記第２スキン層の組成と異なる、請求項３１に記載のラベルアセンブリー。
【請求項３５】
第１重合性材料とＰＰ含有材料を含む層のＰＥ含量は、２５％〜９５％である、請求項２２乃至３４のいずれかに記載のラベルアセンブリー。
【請求項３６】
前記ＰＥ含量は、３０％〜８０％である、請求項３５に記載のラベルアセンブリー。
【請求項３７】
前記ＰＥ含量は、３５％〜７５％である、請求項３５に記載のラベルアセンブリー。
【請求項３８】
第１重合性材料とＰＰ含有材料を含む層は、ＥＶＡ及びＥＶＡ系成分の少なくとも一つを含む、請求項２２乃至３７のいずれかに記載のラベルアセンブリー。
【請求項３９】
前記スキン層は、ポリプロピレン（ＰＰ）、エチレンビニルアセテート（ＥＶＡ）、線形低密度ポリエチレン（ＬＬＤＰＥ）、線形低密度ポリプロピレン（ＰＰ）、高密度ポリエチレン（ＨＤＰＥ）、高密度ポリプロピレン（ＨＤＰＰ）、スチレンジブロックコポリマー、イオノマー樹脂、線形低密度ポリエチレン（ＬＬＤＰＥ）、極低密度ポリエチレン（ＶＬＤＰＥ）、エチレンアクリル酸（ＥＡＡ）コポリマー、及びその組み合わせからなる群から選ばれる少なくとも一つの成分を含む、請求項３０乃至３８のいずれかに記載のラベルアセンブリー。
【請求項４０】
配向フィルム層の横方向に対する縦方向の剛性の比率は、０．８７：１〜１．９：１である、請求項２２乃至３９のいずれかに記載のラベルアセンブリー。
【請求項４１】
前記ラベルアセンブリーは、レーザーダイカット可能である、請求項２２乃至４０のいずれかに記載のラベルアセンブリー。
【請求項４２】
前記ラベルアセンブリーは火炎処理される、請求項２２乃至４１のいずれかに記載のラベルアセンブリー。
【請求項４３】
前記第１重合性材料の量は、前記ＰＰ含有材料の量より多い、請求項２２乃至４２のいずれかに記載のラベルアセンブリー。
【請求項４４】
ラベルを収容するための表面を有する物品を提供するステップと、
（ｉ）ポリエチレン（ＰＥ）ホモポリマー、アルファオレフィン、ＰＥ含有コポリマー、及びその組み合わせからなる群から選ばれる第１重合性材料、及び（ｉｉ）ポリプロピレン（ＰＰ）ホモポリマー、ＰＰ含有コポリマー、及びその組み合わせからなる群から選ばれるＰＰ含有材料を含む層を有する配向フィルム、及び接着剤を含むラベルアセンブリーを提供するステップと、
前記ラベルアセンブリーの接着剤の層を前記物品の表面に付着して、ラベリングされた物品を製造するステップと、
を有する、ラベリングされた物品の製造方法。